(57)【要約】【課題】静止画像表示機能の利便性を向上する。【解決手段】テレビ受信装置は、静止画像表示モードを設定するリモコン２５と、少なくとも１つのお気に入り静止画像を保持するフラッシュメモリ２６と、静止画像表示モードにおいてフラッシュメモリ２６から得られる静止画像を表示するディスプレイ２０と、静止画像表示モードにおいて静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュール１０，１６−１９を備える。【選択図】図１
2010200267.tif 000002
【特許請求の範囲】
【請求項１】
静止画像表示モードを設定する操作モジュールと、少なくとも１つのお気に入り静止画像を保持する不揮発性メモリと、静止画像表示モードにおいて前記不揮発性メモリから得られる静止画像を表示するディスプレイと、静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールを備えることを特徴とする表示システム。
【請求項２】
前記表示制御モジュールは前記付加情報に関する基礎データを放送波またはインターネットから取得することを特徴とする請求項１に記載の表示システム。
【請求項３】
前記表示制御モジュールは前記操作モジュールによって選択される種別の付加情報の組み合わせを表すように前記付加情報画像を合成することを特徴とする請求項２に記載の表示システム。
【請求項４】
前記付加情報画像はアナログ時計、デジタル時計、カレンダ、天気予報、および占いのうちの少なくとも１つを表すことを特徴とする請求項２に記載の表示システム。
【請求項５】
前記表示制御モジュールは前記基礎データの一部として祝日情報を取得し、この祝日情報に基づいて前記カレンダの土曜日、日曜日、および祝日を平日に対して区別できる表示色に変更することを特徴とする請求項４に記載の表示システム。
【請求項６】
前記天気予報および前記占いの少なくとも一方は記号としての付加情報画像で表されることを特徴とする請求項４に記載の表示システム。
【請求項７】
前記表示制御モジュールは前記操作モジュールによって指定される付加情報の位置、サイズ、および透過度の少なくとも１つを前記付加情報設定として設定することを特徴とする請求項１に記載の表示システム。
【請求項８】
前記表示制御モジュールは前記ディスプレイでの焼き付きを防止のために周期的に画像表示位置を変更することを特徴とする請求項１に記載の表示システム。
【請求項９】
少なくとも１つのお気に入り静止画像を保持する不揮発性メモリを用いる表示方法であって、静止画像表示モードを設定し、静止画像表示モードにおいて不揮発性メモリから得られる静止画像を表示し、静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行うことを特徴とする表示方法。
【発明の詳細な説明】
【技術分野】
【０００１】
本発明は、静止画像表示を行う表示システムおよび表示方法に関する。
【背景技術】
【０００２】
近年では、テレビ受信装置の多機能化が進んでいる。これに伴い、例えばフォトビューア機能がテレビ受信装置に設けられている。このフォトビューア機能は、テレビ受信装置に対して接続状態にあるポータブルメモリ等の外部メモリに保持される様々なフォト画像を閲覧するために利用される (例えば、特許文献１を参照)。
【０００３】
また、フォトフレーム機能がテレビ受信装置に設けられることもある。このフォトフレーム機能は、テレビ受信装置の内部メモリに予め登録されるお気に入りフォト画像をフォトフレームとして表示するために利用される。テレビ受信装置の内部メモリが複数のお気に入りフォト画像を登録結果として保持する場合には、これらフォト画像がフォトフレームとして順次表示される。
【０００４】
ちなみに、少なくとも１つのお気に入りフォト画像が内部メモリに対して登録済であれば、フォトビューア機能で必要とされるような格納フォルダや表示画像の指定を省略し、フォトフレーム表示を速やかに開始できる。このフォトフレーム表示の際、予めメモリ等に記憶させておいたお気に入りの音楽をＢＧＭとして再生できる設定としておけば、お気に入りの音楽とお気に入りフォト画像を同時に楽しむことができ、また無音声であれば、フォトフレーム機能はテレビ受信装置において放送番組の音声をミュートする音声ミュート機能の代わりとしても利用できる。
【先行技術文献】
【特許文献】
【０００５】
【特許文献１】特開平１１−２７５５０３号公報
【発明の概要】
【発明が解決しようとする課題】
【０００６】
しかしながら、フォトフレーム表示が長引くと、ユーザがフォトフレーム表示に対して退屈さを感じてしまい易い。フォトフレーム機能がユーザにとって無駄な機能とみなされると、フォトフレーム機能の利用機会が著しく低下する。
【０００７】
本発明の目的は、フォトフレームのような静止画像表示機能の利便性を向上できる表示システムおよび表示方法を提供することにある。
【課題を解決するための手段】
【０００８】
本発明の第１観点によれば、静止画像表示モードを設定する操作モジュールと、少なくとも１つのお気に入り静止画像を保持する不揮発性メモリと、静止画像表示モードにおいて不揮発性メモリから得られる静止画像を表示するディスプレイと、静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールを備える表示システムが提供される。
【０００９】
本発明の第２観点によれば、少なくとも１つのお気に入り静止画像を保持する不揮発性メモリを用いる表示方法であって、静止画像表示モードを設定し、静止画像表示モードにおいて不揮発性メモリから得られる静止画像を表示し、静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行う表示方法が提供される。
【発明の効果】
【００１０】
これら表示システムおよび表示方法では、静止画像表示モードが設定された場合に、不揮発性メモリに保持されるお気に入り静止画像が表示され、表示制御処理がこの静止画像に対する付加情報に関する基礎データを取得し、この基礎データに対応する付加情報を表すように付加情報画像を合成し、表示された静止画像に付加情報画像を重ねるために独自の付加情報設定に従って行われる。付加情報は例えば時計、カレンダ、天気予報、占いなどでよく、これらの基礎データは時刻情報、日付情報、天気情報、占い情報のテキストとして放送波やインターネット経由で取得可能である。また、独自の付加情報設定としては、例えば付加情報画像の位置、サイズ、透過度等を設定できる。このような付加情報画像がお気に入り静止画像に重ねられる場合、静止画像表示が長引いても、付加情報画像が静止画像表示に対する退屈さをユーザに感じさせなくし、静止画像表示機能の利便性を向上できる。これにより、静止画像表示機能の利用機会の著しい低下を回避できる。
【図面の簡単な説明】
【００１１】
【図１】本発明の一実施形態に係るテレビ受信装置の構成を概略的に示すブロック図である。
【図２】図１に示すリモコンに設けられる様々な操作キーを示す図である。
【図３】図１に示すマイクロプロセッサにより行われるコマンド処理を示すフローチャートである。
【図４】図３に示すコマンド処理で得られる表示画面の遷移を示す図である。
【図５】図４に示すフォトフレーム設定画面で「フォト選択」を選択した場合に得られる表示画面の遷移を示す図である。
【図６】図４に示すフォトフレーム設定画面で「フォト編集」を選択した場合に得られる表示画面の遷移を示す図である。
【図７】図３に示す付加情報設定処理を詳しく示すフローチャートである。
【図８】図４に示すフォトフレーム設定画面で「付加情報設定」を選択した場合に得られる表示画面の遷移を示す図である。
【図９】図３に示すフォトフレーム表示処理を詳しく示すフローチャートである。
【図１０】図９に示すアナログ時計画像合成処理を詳しく示すフローチャートである。
【図１１】図９に示すカレンダ画像合成処理を詳しく示すフローチャートである。
【図１２】図９に示す天気予報画像合成処理を詳しく示すフローチャートである。
【図１３】図９に示すアナログ時計画像合成処理を詳しく示すフローチャートである。
【発明を実施するための形態】
【００１２】
以下、本発明の一実施形態に係るテレビ受信装置について添付図面を参照して説明する。図１は、このテレビ受信装置の構成を概略的に示す。このテレビ受信装置は地上アナログ放送波、並びにＢＳ,ＣＳ,地上デジタル放送波を受信可能であり、マイクロプロセッサ１０、デジタル用チューナ１１、アナログ用チューナ１２、デジタル用復調器１３、アナログ用復調器１４、およびＴＳ復号器１５を備える。
【００１３】
ＢＳ,ＣＳ,地上デジタル放送波はアンテナ１から受信信号としてデジタル用チューナ１１に供給され、地上アナログ放送波はアンテナ１から受信信号としてアナログ用チューナ１２に供給される。デジタル用チューナ１１およびアナログ用チューナ１２はフェーズロックドループ(ＰＬＬ)方式であり、マイクロプロセッサ１０の制御により中心周波数および帯域幅等の受信パラメータを指定してそれぞれ所望の放送波を選局するために用いられる。
【００１４】
デジタル用チューナ１１で選局した放送波の受信信号は、例えば日本の場合にＯＦＤＭ(orthogonal frequency division multiplexing)方式のデジタル用復調器１３およびＴＳ復号器１５に順次供給され、これらでデジタル映像信号および音声信号として復調および復号される。アナログ用チューナ１２で選局された受信信号はアナログ用復調器１４に供給され、ここでアナログ映像信号および音声信号に復調される。
【００１５】
このテレビ受信装置はさらに、および信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、およびネットワーク通信回路２９を備える。信号処理部１６はＴＳ復号器１５からのデジタル映像信号および音声信号に対して選択的に所定のデジタル信号処理を施し、それぞれグラフィック処理部１７および音声処理部２１に出力する。また、信号処理部１６は、アナログ用復調器１４からのアナログ映像信号および音声信号を選択的にデジタル化し、このデジタル化された映像信号および音声信号に対して所定のデジタル信号処理を施し、それぞれグラフィック処理部１７および音声処理部２１に出力する。
【００１６】
グラフィック処理部１７は、信号処理部１６から出力されたデジタル映像信号にＯＳＤ信号生成部１８で生成されたＯＳＤ信号を選択的に重畳して出力する。映像処理部１９はグラフィック処理部１７から出力されたデジタル映像信号に対してディスプレイ２０に適合させる例えばサイズ調整等の変換を行う。ディスプレイ２０は映像処理部から出力された映像信号に対応する映像を表示する。音声処理部２１は信号処理部１６から出力されたデジタル音声信号をスピーカ２２に適合させる音量調整等の変換を行う。スピーカ２２は音声処理部２１から出力された音声信号に対応する音声を再生する。
【００１７】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル２３およびリモコン２５はユーザインタフェースとして機能する操作モジュールである。図２に示すように、マイクロプロセッサ１０は様々な処理および制御を行うＣＰＵ(central processing unit）３１、このＣＰＵ３１の制御プログラムおよび様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報および制御情報を入出力するインタフェース３４、および放送波やネットワーク経由で取得される時刻情報および日付情報に従って補正される時計回路３５を含む。
【００１８】
フラッシュメモリ２６は少なくとも１つの静止画像であるお気に入りフォト画像およびこのフォト画像をフォトフレームとして表示するために利用される様々な登録情報を保持する不揮発性メモリとして設けられる。様々な登録情報は、フォトフレームとして表示すべきお気に入りフォト画像、フォトフレームに付加される付加情報の種別情報、各付加情報に対する設定情報および画像素材情報を含む。ここで、画像素材情報は出荷段階でフラッシュメモリ２６に予め登録されている。ＵＳＢコネクタ２７は様々なＵＳＢ機器を接続するために設けられる。カードコネクタ２８は様々なメディアカードを接続するために設けられる。また、ネットワーク通信回路２９はインターネットに直接あるいはＬＡＮ(local area network)経由で接続される。放送波から取得される時刻情報はアンテナ１で受信した信号の処理結果としてマイクロプロセッサ１０に取り込まれる。また、ネットワークから取得される時刻情報、日付情報、天気情報、占い情報等の基礎データはネットワーク通信回路２９の通信結果としてそれぞれマイクロプロセッサ１０に取り込まれる。
【００１９】
また、マイクロプロセッサ１０は、フォトビューア機能やフォトフレーム機能を実現するために、ＵＳＢコネクタ２７に接続されるＵＳＢメモリやカードコネクタ２８に接続されるメディアカードにファイルとして保持される１または複数のフォト画像を取り込み、信号処理部１６、グラフィック処理部１７、および映像処理部１９での処理を経て各フォト画像をディスプレイ２０に表示させる制御を行えるように構成されている。フォトフレーム機能は静止画像表示モードとしてのフォトフレームモードにおいて行われるテレビ受信装置の動作により実現される。フォトフレームモードでは、ユーザがＵＳＢメモリやフォト画像メディアカードに保持される１または複数のフォト画像からお気に入りフォト画像を例えばリモコン２５の操作により選択し、マイクロプロセッサ１０がこのお気に入りフォト画像をフラッシュメモリ２６に登録する。この登録後において、マイクロプロセッサ１０はお気に入りフォト画像をフォトフレームとしてディスプレイ２０に表示させ、さらに付加情報画像をフォトフレームに重ねて表示するためにＯＳＤ信号生成部１８等の制御を行う。ここで、マイクロプロセッサ１０、信号処理部１６、グラフィック処理部１７、ＯＳＤ信号生成部１８および映像処理部１９は、フォトフレームモードにおいてフォトフレームに対する付加情報の基礎データを取得し、この基礎データに対応する付加情報を表すように付加情報画像を合成し、表示されたフォトフレームに付加情報画像を重ねる表示制御処理を独自の付加情報設定に従って行う表示制御モジュールを構成する。
【００２０】
図２はリモコン２５に設けられる様々な操作キーを示す。ユーザはメインメニューキー５０やクイックメニューキー５１の操作により選択肢を表示させ、続いて上下左右の方向キー５２の操作により選択肢を選択し、決定キー５３の操作により選択結果を確定させる。また、戻るキー５４は画面を戻すために操作され、終了キー５５は操作の終了通知として操作される。チャネルキー５６は放送波の選択やフォトフレーム表示をキャンセルするために操作される。
【００２１】
図３はマイクロプロセッサ１０により行われるコマンド処理を示す。このコマンド処理は、操作パネル２３またはリモコン２５の操作時に操作情報として得られるコマンドに対して行われる。このコマンド処理では、最初にメインメニューキー操作があるかブロックＢ１１でチェックされる。このメインメニューキー操作が検出されると、メインメニュー画面がブロックＢ１２で表示される。このメインメニュー画面は、例えば「機器選択」、「機器操作」、「録画設定」、「フォトビューア」、および「フォトフレーム」のような機能の選択項目を含む。メインメニュー画面の表示後、ブロックＢ１３で「フォトフレーム」を選択したかチェックされる。「フォトフレーム」の選択が検出されなければ、他の機能処理がブロックＢ１４で行われ、再びブロックＢ１１に戻る。
【００２２】
「フォトフレーム」の選択が検出されると、これがフォトフレームモードの設定として判断され、ブロックＢ１５でフォトフレーム設定画面が表示される。このフォトフレーム設定画面は、例えば「フォト選択」、「フォト編集」、「付加情報設定」、「開始」、および「リターン」のような選択項目を含む。これら項目の選択操作はブロックＢ１６〜Ｂ２０でチェックされる。「フォト選択」の選択操作がブロックＢ１６で検出されると、フォト選択処理がブロックＢ２１で行われる。「フォト編集」の選択操作がブロックＢ１７で検出されると、フォト編集処理がブロックＢ２２で行われる。「付加情報設定」の選択操作がブロックＢ１８で検出されると、付加情報設定処理がブロックＢ２３で行われる。ブロックＢ２１〜Ｂ２３の処理が完了すると、ブロックＢ１５に戻る。「リターン」の選択操作がブロックＢ２０で検出されると、ブロックＢ１１に戻る。
【００２３】
「開始」の選択操作がブロックＢ１９で検出されると、フォトフレーム表示処理がブロックＢ２４で行われる。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理はこの電源オフ手続きの実行後に終了する。他方、自動パワーオフ時間の経過がブロックＢ２５で検出されない場合には、ブロックＢ１１に戻る。
【００２４】
また、メインメニューキー操作がブロックＢ１１で検出されない場合には、クイックメニューキー操作があるかブロックＢ２７でチェックされる。クイックメニューキー操作が検出されなければ、他のキー操作処理がブロックＢ２８で行われ、再びブロックＢ１１に戻る。このクイックメニューキー操作が検出されると、クイックメニュー画面がブロックＢ２９で表示される。このクイックメニュー画面は、例えば「機器選択」、「機器操作」、および「フォトフレーム」のような機能の選択項目を含む。クイックメニュー画面の表示後、ブロックＢ３０で「フォトフレーム」を選択したかチェックされる。「フォトフレーム」の選択が検出されなければ、他の機能処理がブロックＢ３１で行われ、再びブロックＢ１１に戻る。「フォトフレーム」の選択が検出されると、これがフォトフレームモードの設定として判断され、フォトフレーム設定画面において「開始」の選択操作が検出された場合と同様に、フォトフレーム表示処理がブロックＢ２４で行われる。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理はこの電源オフ手続きの実行後に終了する。他方、自動パワーオフ時間の経過がブロックＢ２５で検出されない場合には、ブロックＢ１１に戻る。
【００２５】
図４は図３に示すコマンド処理で得られる表示画面の遷移を示す。放送番組を視聴中にメインメニューキー操作をすると、メインメニュー画面が放送番組の映像に中央で重なるようにしてディスプレイ２０に表示される。ここで、「フォトフレーム」の選択操作をすると、フォトフレーム設定画面が放送番組の映像およびメインメニュー画面の代わりに表示される。このとき、フォトフレーム設定画面で開始操作をすると、フォトフレーム表示がフォトフレーム設定の結果に従って行われる。このフォトフレーム表示では、例えばアナログ時計のような付加情報画像がお気に入りフォト画像のフォトフレームに重ねて表示されている。ちなみに、フォトフレームはディスプレイ２０の表示画面全体を占有する。
【００２６】
また、クイックメニューキー操作をすると、クイックメインメニュー画面が放送番組の映像に左端付近で重なるようにしてディスプレイ２０に表示される。フォトフレーム設定が既に完了している場合には、「フォトフレーム」の選択操作をすると、フォトフレーム設定画面の表示が省略され、速やかにフォトフレーム表示がフォトフレーム設定の結果に従って行われる。尚、各表示画面は図４に示すように戻るキー操作、終了キー操作、およびリターン操作のいずれかにより１つ前の画面に戻ることができる。チャネル番号キーであれば、放送番組の映像表示に戻る。
【００２７】
図５は、図４に示すフォトフレーム設定画面で「フォト選択」を選択した場合に得られる表示画面の遷移を示す。「フォト選択」(画面上では、"Photo Select")を選択すると、フォトフレーム設定画面がフォト画像の供給元となる接続機器のリストを表示する接続機器の選択画面に切り替わる。ここで、例えば「ＵＳＢメモリ」(画面上では、"USB memory")を選択すると、接続機器の選択画面がＵＳＢメモリに収録されたフォト画像のリストをサムネイル形式で表示するフォト画像の選択画面に切り替わる。ここで、いずれかのフォト画像に対して選択操作をすると、この選択結果のフォト画像がお気に入りフォト画像としてフラッシュメモリ２６に登録される。尚、接続機器の選択画面やフォト画像の選択画面は図５に示すように戻るキー操作またはリターン操作により１つ前の画面に戻ることができる。チャネル番号キーであれば、放送番組の映像表示に戻る。
【００２８】
図６は、図４に示すフォトフレーム設定画面で「フォト編集」を選択した場合に得られる表示画面の遷移を示す。「フォト編集」(画面上では、"Photo Edit")を選択すると、フォトフレーム設定画面がフラッシュメモリ２６に保持されるお気に入りフォト画像が「回転」(画面上では、"Rotate")や「削除」(画面上では、"Delete")のような編集用の選択項目と共に表示される。例えば「回転」の選択操作をすると、フォト画像が「回転」の選択操作を行う毎に＋９０度ずつ回転する。また、「削除」の選択操作をすると、確認画面が本当に削除するのかを確認するために表示される。この確認画面で、「Yes」を選択すると、フラッシュメモリ２６に登録されたお気に入りフォト画像が削除され、「Preinstalled Photo File」というメッセージのデフォルト画像がお気に入りフォト画像が未登録であることを通知するために表示される。他方、「No」を選択すると、編集用の選択項目を表示する画面に戻る。
【００２９】
図７は図３に示す付加情報設定処理を詳しく示し、図８は図４に示すフォトフレーム設定画面で「付加情報設定」を選択した場合に得られる表示画面の遷移を示す。この付加情報設定処理では、付加情報設定画面がブロックＢ４１で表示される。付加情報設定画面は例えば「付加情報選択」、「自動パワーオフ時間指定」、および「リターン」のような選択項目を含む。「付加情報選択」では、左右の方向キー５２を操作することにより「アナログ時計」、「デジタル時計」、「カレンダ」、「天気予報」、および「占い」うちのいずれかを付加情報の種別として指定し、決定キー５３を操作することにより指定された種別の付加情報をオンに設定する。ちなみに、この付加情報は決定キー５３の再操作によりオフされる。また、「付加情報選択」は例えば「位置指定」、「サイズ指定」、および「透過度指定」のような設定項目を含む。「付加情報選択」、「自動パワーオフ時間指定」、「リターン」、「位置指定」、「サイズ指定」、および「透過度指定」の各々は上下の方向キー５２の操作により選択される。「位置指定」では、左右の方向キー５２の操作により例えば表示画面の「左上」、「右上」、「左下」、「右下」のうちのいずれかを指定する。「サイズ指定」では、左右の方向キー５２の操作により例えば「大」、「中」、「小」のうちのいずれかを指定する。「透過度指定」では、左右の方向キー５２の操作により例えば「高」、「中」、「低」のうちのいずれかを指定する。ちなみに、「位置指定」、「サイズ指定」、および「透過度指定」はデフォルト状態で例えば「左上」、「中」、「小」にそれぞれ指定され、必要に応じて変更される。「自動パワーオフ時間指定」では、左右の方向キー５２の操作により「時」および「分」を切り換え、上下の方向キー５２の操作により０〜２４という範囲の時間および０〜６０という範囲の分を指定する。
【００３０】
付加情報設定画面の表示後、「付加情報選択」に関して「アナログ時計」、「デジタル時計」、「カレンダ」、「天気予報」、および「占い」がそれぞれオンであるかブロックＢ４２〜Ｂ４６でチェックされ、さらに「自動パワーオフ時間指定」および「リターン操作」に関してブロックＢ４７、Ｂ４８でチェックされる。
【００３１】
「アナログ時計」がオンであることがブロックＢ４２で検出されると、ブロックＢ４９が実行される。このブロックＢ４９では、アナログ時計が付加情報の選択結果（すなわち、種別情報）とされ、これがアナログ時計の位置、サイズ、および透過度の指定値（すなわち、設定情報）と一緒にフラッシュメモリ２６に登録される。「デジタル時計」がオンであることがブロックＢ４３で検出されると、ブロックＢ５０が実行される。このブロックＢ５０では、デジタル時計が付加情報の選択結果とされ、これがデジタル時計の位置、サイズ、および透過度の指定値と一緒にフラッシュメモリ２６に登録される。「カレンダ」がオンであることがブロックＢ４４で検出されると、ブロックＢ５１が実行される。このブロックＢ５１では、カレンダが付加情報の選択結果とされ、これがカレンダの位置、サイズ、および透過度の指定値と一緒にフラッシュメモリ２６に登録される。「天気予報」がオンであることがブロックＢ４５で検出されると、ブロックＢ５２が実行される。このブロックＢ５２では、天気予報が付加情報の選択結果とされ、これが天気予報の位置、サイズ、および透過度の指定値と一緒にフラッシュメモリ２６に登録される。「占い」がオンであることがブロックＢ４６で検出されると、ブロックＢ５３が実行される。このブロックＢ５３では、天気予報が付加情報の選択結果とされ、これが天気予報の位置、サイズ、および透過度の指定値と一緒にフラッシュメモリ２６に登録される。
【００３２】
「自動パワーオフ時間指定」が選択されたことがブロックＢ４７で検出されると、ブロックＢ５４が実行される。このブロックＢ５４では、自動パワーオフ時間の指定結果がフラッシュメモリ２６に登録される。ブロックＢ４１〜Ｂ４８は「リターン」の操作の検出まで繰り返し実行される。付加情報設定処理は、「リターン」の操作の検出に伴って終了する。
【００３３】
図９は図３に示すフォトフレーム表示処理を詳しく示す。マイクロプロセッサ１０は信号処理部１６、グラフィック処理部１７、ＯＳＤ信号生成部１８、および映像処理部１９に相当するフォト再生コンポーネントを制御対象としてこの表示処理を実行する。この表示処理では、フラッシュメモリ２６に登録されたお気に入りフォト画像がブロックＢ６１でフォトフレームとして持続的にディスプレイ２０に表示される。ちなみに、複数のお気に入りフォト画像がフラッシュメモリ２６に登録されている場合、これら複数のお気に入りフォト画像がスライドショー形式のフォトフレームとして持続的にディスプレイ２０に表示される。
【００３４】
ブロックＢ６２では、上述のフォトフレームに対する付加情報があるかチェックされる。付加情報があることが検出されると、「アナログ時計」、「デジタル時計」、「カレンダ」、「天気予報」、および「占い」がオンであるか、それぞれブロックＢ６３〜Ｂ６７でチェックされる。「アナログ時計」がオンであることがブロックＢ６３で検出されると、アナログ時計画像合成処理がブロックＢ６８で行われる。「デジタル時計」がオンであることがブロックＢ６４で検出されると、デジタル時計画像合成処理がブロックＢ６９で行われる。「カレンダ」がオンであることがブロックＢ６５で検出されると、カレンダ画像合成処理がブロックＢ７０で行われる。「天気予報」がオンであることがブロックＢ６６で検出されると、天気予報画像合成処理がブロックＢ７１で行われる。「占い」がオンであることがブロックＢ６７で検出されると、占い画像合成処理がブロックＢ７１で行われる。
【００３５】
付加情報が無いことがブロックＢ６２で検出された場合、およびフォトフレームに付加すべき全ての付加情報に関する画像合成処理の終了が検出された場合、フォト画像や付加情報画像がブロックＢ７３でディスプレイ２０の特性に依存して焼き付きを防止するために決定される基準時間を越えて表示されたかチェックされる。もしこの基準時間を越えていることが検出されれば、画像の表示位置がブロックＢ７４で所定ルールで僅かに変更される。このフォトフレーム表示処理はブロックＢ７４の実行後、または基準時間を越えていないことがブロックＢ７３で検出された後に終了する。
【００３６】
図１０は図９に示すアナログ時計画像合成処理を詳しく示す。この画像合成処理では、放送波経由で時刻情報を取得できたかブロックＢ８１でチェックされ、さらにネットワーク経由で時刻情報を取得できたかブロックＢ８２でチェックされる。ブロックＢ８１またはＢ８２のいずれかで時刻情報（すなわち、付加情報の基礎データ）を取得できたことを検出した場合に、ブロックＢ８３が実行される。このブロックＢ８３では、付加情報設定処理で登録された指定位置、指定サイズ、指定透過度の設定情報をアナログ時計の画像素材情報と一緒にフラッシュメモリ２６から取得する。これに続くブロックＢ８４では、フォトフレームに指定位置で重なる指定サイズおよび指定透過度のアナログ時計画像を合成して表示する。このアナログ時計画像は取得した時刻情報（現在時刻の時分）対応するアナログ時計（付加情報）を表すように画像素材情報から合成される。他方、ブロックＢ８１およびＢ８２で時刻情報を取得できなかったことを検出した場合には、ブロックＢ８５が実行される。ブロックＢ８５では、時計表示不可の通知を一時的に表示する。アナログ時計画像合成処理はこのブロックＢ８４またはＢ８５の実行後に終了する。但し、フォトフレーム表示は、例えばリモコン２５のチャネルキー５６が操作されない限り継続する。ここで、表示時刻は時計回路３５に従って１分単位に更新される。
【００３７】
尚、デジタル時計画像合成処理は、アナログ時計の画像素材情報がデジタル時計の画像素材情報に変更されることを除いて上述のアナログ時計画像合成処理と同様である。
【００３８】
図１１は図９に示すカレンダ画像合成処理を詳しく示す。この画像合成処理では、放送波経由で日付情報を取得できたかブロックＢ９１でチェックされ、さらにネットワーク経由で日付情報を取得できたかブロックＢ９２でチェックされる。ブロックＢ９１またはＢ９２のいずれかで日付情報（すなわち、付加情報の基礎データ）を取得できたことを検出した場合に、ブロックＢ９３が実行される。このブロックＢ９３では、付加情報設定処理で登録された指定位置、指定サイズ、指定透過度の設定情報をカレンダの画像素材情報と一緒にフラッシュメモリ２６から取得する。これに続くブロックＢ９４では、フォトフレームに指定位置で重なる指定サイズおよび指定透過度のカレンダ画像を合成して表示する。このカレンダ画像は取得した日付情報（現在日付の年月日）に対応するカレンダ（付加情報）を表すように画像素材情報から合成される。続くブロックＢ９５では、ネットワーク経由で祝日情報が取得できたかチェックくされる。ここで、祝日情報が取得できたことを検出した場合には、ブロックＢ９６でカレンダの土曜日、日曜日、および祝日がこの祝日情報に基づいて平日に対して区別できる表示色に変更される。他方、ブロックＢ９１およびＢ９２で日付情報を取得できなかったことを検出した場合には、ブロックＢ９７が実行される。ブロックＢ９７では、カレンダ表示不可の通知を一時的に表示する。カレンダ画像合成処理は、このブロックＢ９６またはＢ９７の実行後、あるいはブロックＢ９５で祝日情報が取得できなかったことを検出した場合に終了する。但し、フォトフレーム表示は、例えばリモコン２５のチャネルキー５６が操作されない限り継続する。ここで、表示日付は時計回路３５に従って１日単位に更新される。
【００３９】
図１２は図９に示す天気予報画像合成処理を詳しく示す。この画像合成処理では、放送波経由で天気情報を取得できたかブロックＢ１０１でチェックされ、さらにネットワーク経由で天気情報を取得できたかブロックＢ１０２でチェックされる。ブロックＢ１０１またはＢ１０２のいずれかで天気情報（すなわち、付加情報の基礎データ）を取得できたことを検出した場合に、ブロックＢ１０３が実行される。このブロックＢ１０３では、付加情報設定処理で登録された指定位置、指定サイズ、指定透過度の設定情報を天気予報の画像素材情報と一緒にフラッシュメモリ２６から取得する。これに続くブロックＢ１０４では、フォトフレームに指定位置で重なる指定サイズおよび指定透過度の天気予報画像を合成して表示する。この天気予報画像は取得した天気情報に対応する天気予報（付加情報）を表すように画像素材情報から合成される。この場合、天気画像は晴れ、雨、曇り等の記号であってよい。他方、ブロックＢ１０１およびＢ１０２で天気情報を取得できなかったことを検出した場合には、ブロックＢ１０５が実行される。ブロックＢ１０５では、天気予報表示不可の通知を一時的に表示する。天気予報画像合成処理はこのブロックＢ１０４またはＢ１０５の実行後に終了する。但し、フォトフレーム表示は、例えばリモコン２５のチャネルキー５６が操作されない限り継続する。
【００４０】
図１３は図９に示す占い画像合成処理を詳しく示す。この画像合成処理では、放送波経由で占い情報を取得できたかブロックＢ１１１でチェックされ、さらにネットワーク経由で占い情報を取得できたかブロックＢ１１２でチェックされる。ブロックＢ１１１またはＢ１１２のいずれかで占い情報（すなわち、付加情報の基礎データ）を取得できたことを検出した場合に、ブロックＢ１１３が実行される。このブロックＢ１１３では、付加情報設定処理で登録された指定位置、指定サイズ、指定透過度の設定情報を占いの画像素材情報と一緒にフラッシュメモリ２６から取得する。これに続くブロックＢ１１４では、フォトフレームに指定位置で重なる指定サイズおよび指定透過度の占い画像を合成して表示する。この占い画像は取得した占い情報に対応する占い（付加情報）を表すように画像素材情報から合成される。この場合、占い画像は大吉、吉、凶などの占い記号でよい。他方、ブロックＢ１１１およびＢ１１２で占い情報を取得できなかったことを検出した場合には、ブロックＢ１１５が実行される。ブロックＢ１１５では、占い表示不可の通知を一時的に表示する。占い画像合成処理はこのブロックＢ１１４またはＢ１１５の実行後に終了する。但し、フォトフレーム表示は、例えばリモコン２５のチャネルキー５６が操作されない限り継続する。
【００４１】
上述の実施形態に係るテレビ受信装置によれば、フォトフレーム表示を行う表示システムを構成できる。この表示システムでは、フォトフレームモードが設定された場合に、不揮発性メモリに保持されるお気に入りフォト画像がフォトフレームとして表示され、画像表示処理がこのフォトフレームに対する付加情報の基礎データを取得し、この基礎データに対応する付加情報を表すように付加情報画像を合成し、表示されたフォトフレームに付加情報画像を重ねるために独自の付加情報設定に従って行われる。付加情報は例えば時計、カレンダ、天気予報、占いなどでよく、これらの基礎データは時刻情報、日付情報、天気情報、占い情報のテキストとして放送波やインターネット経由で取得可能である。また、独自の付加情報設定としては、例えば付加情報画像の位置、サイズ、透過度等を設定できる。このような付加情報画像がフォトフレームに重ねられる場合、フォトフレーム表示が長引いても、付加情報画像がフォトフレーム表示に対する退屈さをユーザに感じさせなくし、フォトフレーム機能の利便性を向上できる。これにより、フォトフレーム機能の利用機会の著しい低下を回避できる。
【００４２】
尚、本発明は上述の実施形態に限定されず、様々に変形することも可能である。
【００４３】
上述の実施形態では、「アナログ時計」、「デジタル時計」、「カレンダ」、「天気予報」、および「占い」が付加情報として選択的にオンされたが、これら付加情報を他の付加情報に置換えてもよい。
【００４４】
また、リモコン２５のような操作モジュールによって選択される種別の付加情報の組み合わせを表すように付加情報画像を合成してフォトフレームに重ねられたが、予め決められた単一の付加情報のみをフォトフレームに重ねられてもよい。
【００４５】
また、上述の実施形態では、ラッシュメモリ２６に予めフ登録された付加情報別の画像素材情報を変更できなかったが、各付加情報に対して冗長的に画像素材情報を予め登録し、付加情報設定の一部としてユーザにより任意に組み合わされる画像素材情報から付加情報画像を合成してもよい。
【００４６】
また、上述の実施形態では、フラッシュメモリ２６を不揮発性メモリとして用いたが、例えばテレビ受信装置に録画用に接続されるハードディスクをこの不揮発性メモリとして用いてもよい。
【００４７】
また、複数のお気に入りフォト画像がフラッシュメモリ２６に登録された場合に、これらフォト画像をスライドショー形式のフォトフレームとして表示したが、フラッシュメモリ２６に登録された複数のフォト画像のうちのいずれか１つをさらに特定し、特定のフォト画像のみをフォトフレームとして表示してもよい。
【００４８】
ちなみに、上述の実施形態では、少なくとも１つのお気に入りフォト画像が内部メモリに対して登録済であれば、フォトビューア機能で必要とされるような格納フォルダや表示画像の指定を省略し、フォトフレーム表示を速やかに開始できる。フォトフレーム表示が無音声であれば、フォトフレーム機能はテレビ受信装置において放送番組の音声をミュートする音声ミュート機能の代わりとして利用できる。
【００４９】
また、例えば予めフラッシュメモリ２６等の内部メモリにお気に入りのフォト画像に関連付けてお気に入りの音楽データを記憶させ、お気に入りフォト画像をフォトフレームとして表示する際に音楽データをＢＧＭとして再生させてもよい。これにより、お気に入りの音楽とお気に入りフォト画像を同時に楽しむことができる。
【００５０】
さらに、ここで述べたシステムの様々なモジュールは、ソフトウェアアプリケーション、ハードウェアおよび／またはソフトウェアモジュール、もしくはサーバのような１以上のコンピュータ上のコンポーネンツで実現可能である。これら様々なモジュールは別々に記載されている一方で、基礎となるロジックやコードの全てあるいは一部に配分されてもよい。
【符号の説明】
【００５１】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２９…ネットワーク通信回路、５０…メインメニューキー、５１…クイックメニューキー、５２…方向キー、５３…決定キー、５４…「戻る」キー、５５…「終了」キー、５６…チャネルキー。
【図１】
2010200267.tif 000003
【図２】
2010200267.tif 000004
【図３】
2010200267.tif 000005
【図４】
2010200267.tif 000006
【図５】
2010200267.tif 000007
【図６】
2010200267.tif 000008
【図７】
2010200267.tif 000009
【図８】
2010200267.tif 000010
【図９】
2010200267.tif 000011
【図１０】
2010200267.tif 000012
【図１１】
2010200267.tif 000013
【図１２】
2010200267.tif 000014
【図１３】
2010200267.tif 000015
【手続補正書】
【提出日】平成22年2月15日(2010.2.15)
【手続補正１】
【補正対象書類名】明細書
【補正対象項目名】０００８
【補正方法】変更
【補正の内容】
【０００８】
本発明の第１観点によれば、放送波を受信する放送受信モジュールと、静止画像表示モードを設定する操作モジュールと、少なくとも１つのお気に入り静止画像を保持する不揮発性メモリと、静止画像表示モードにおいて前記不揮発性メモリから得られる静止画像を表示するディスプレイと、静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールと、を備え、前記表示制御モジュールは、前記静止画像を表示中に前記操作モジュールによりチャネル操作が行われる場合、前記静止画像の表示を前記放送受信モジュールにより受信する放送の表示に切り替える表示システムが提供される。
【手続補正２】
【補正対象書類名】明細書
【補正対象項目名】０００９
【補正方法】変更
【補正の内容】
【０００９】
本発明の第２観点によれば、少なくとも１つのお気に入り静止画像を保持する不揮発性メモリを用いる表示方法であって、放送波を受信し、静止画像表示モードを設定し、静止画像表示モードにおいて不揮発性メモリから得られる静止画像を表示し、静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行い、前記静止画像を表示中にチャネル操作が行われる場合、前記静止画像の表示を前記受信する放送の表示に切り替える表示方法が提供される。
【手続補正３】
【補正対象書類名】特許請求の範囲
【補正対象項目名】請求項１
【補正方法】変更
【補正の内容】
【請求項１】
放送波を受信する放送受信モジュールと、
静止画像表示モードを設定する操作モジュールと、
少なくとも１つのお気に入り静止画像を保持する不揮発性メモリと、
静止画像表示モードにおいて前記不揮発性メモリから得られる静止画像を表示するディスプレイと、
静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールと、
を備え、
前記表示制御モジュールは、前記静止画像を表示中に前記操作モジュールによりチャネル操作が行われる場合、前記静止画像の表示を前記放送受信モジュールにより受信する放送の表示に切り替える、
ことを特徴とする表示システム。
【手続補正４】
【補正対象書類名】特許請求の範囲
【補正対象項目名】請求項９
【補正方法】変更
【補正の内容】
【請求項９】
少なくとも１つのお気に入り静止画像を保持する不揮発性メモリを用いる表示方法であって、
放送波を受信し、
静止画像表示モードを設定し、
静止画像表示モードにおいて不揮発性メモリから得られる静止画像を表示し、
静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行い、
前記静止画像を表示中にチャネル操作が行われる場合、前記静止画像の表示を前記受信する放送の表示に切り替える、
ことを特徴とする表示方法。
【手続補正書】
【提出日】平成22年5月17日(2010.5.17)
【手続補正１】
【補正対象書類名】明細書
【補正対象項目名】０００８
【補正方法】変更
【補正の内容】
【０００８】
本発明の第１観点によれば、放送波を受信する放送受信モジュールと、静止画像表示モードを設定する操作モジュールと、少なくとも１つのお気に入り静止画像を保持する不揮発性メモリと、静止画像表示モードにおいて前記不揮発性メモリから得られる静止画像を表示するディスプレイと、静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールと、を備え、前記表示制御モジュールは、前記静止画像を表示中に前記操作モジュールによりチャネル操作が行われる場合、前記静止画像の表示を前記放送受信モジュールにより受信する放送の表示に切り替え、時刻情報、日付情報、天気情報、及び占い情報のうちの少なくとも１つを前記付加情報に関する基礎データとして放送波から取得し、放送波から取得できない場合にインターネットから取得し、アナログ時計、デジタル時計、カレンダ、天気予報、および占いのうちの少なくとも１つを前記取得した基礎データに基づいて前記付加情報画像として表す表示システムが提供される。
【手続補正２】
【補正対象書類名】明細書
【補正対象項目名】０００９
【補正方法】変更
【補正の内容】
【０００９】
本発明の第２観点によれば、少なくとも１つのお気に入り静止画像を保持する不揮発性メモリを用いる表示方法であって、放送波を受信し、静止画像表示モードを設定し、静止画像表示モードにおいて不揮発性メモリから得られる静止画像を表示し、静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行い、前記静止画像を表示中にチャネル操作が行われる場合、前記静止画像の表示を前記受信する放送の表示に切り替え、時刻情報、日付情報、天気情報、及び占い情報のうちの少なくとも１つを前記付加情報に関する基礎データとして放送波から取得し、放送波から取得できない場合にインターネットから取得し、アナログ時計、デジタル時計、カレンダ、天気予報、および占いのうちの少なくとも１つを前記取得した基礎データに基づいて前記付加情報画像として表す表示方法が提供される。
【手続補正３】
【補正対象書類名】特許請求の範囲
【補正対象項目名】全文
【補正方法】変更
【補正の内容】
【特許請求の範囲】
【請求項１】
放送波を受信する放送受信モジュールと、
静止画像表示モードを設定する操作モジュールと、
少なくとも１つのお気に入り静止画像を保持する不揮発性メモリと、
静止画像表示モードにおいて前記不揮発性メモリから得られる静止画像を表示するディスプレイと、
静止画像表示において静止画像に対する付加情報に関する基礎データを取得し、この基礎データに対応する付加情報を表すように付加情報画像を合成し、表示された静止画像に付加情報画像を重ねる表示制御処理を独自の付加情報設定に従って行う表示制御モジュールと、
を備え、
前記表示制御モジュールは、前記静止画像を表示中に前記操作モジュールによりチャネル操作が行われる場合、前記静止画像の表示を前記放送受信モジュールにより受信する放送の表示に切り替え、
時刻情報、日付情報、天気情報、及び占い情報のうちの少なくとも１つを前記付加情報に関する基礎データとして放送波から取得し、放送波から取得できない場合にインターネットから取得し、
アナログ時計、デジタル時計、カレンダ、天気予報、および占いのうちの少なくとも１つを前記取得した基礎データに基づいて前記付加情報画像として表す、
ことを特徴とする表示システム。
【請求項２】
前記表示制御モジュールは前記操作モジュールによって選択される種別の付加情報の組み合わせを表すように前記付加情報画像を合成することを特徴とする請求項１に記載の表示システム。
【請求項３】
前記表示制御モジュールは前記基礎データの一部として祝日情報を取得し、この祝日情報に基づいて前記カレンダの土曜日、日曜日、および祝日を平日に対して区別できる表示色に変更することを特徴とする請求項１に記載の表示システム。
【請求項４】
前記天気予報および前記占いの少なくとも一方は記号としての付加情報画像で表されることを特徴とする請求項１に記載の表示システム。
【請求項５】
前記表示制御モジュールは前記操作モジュールによって指定される付加情報の位置、サイズ、および透過度の少なくとも１つを前記付加情報設定として設定することを特徴とする請求項１に記載の表示システム。
【請求項６】
前記表示制御モジュールは前記ディスプレイでの焼き付きを防止のために周期的に画像表示位置を変更することを特徴とする請求項１に記載の表示システム。
【請求項７】
少なくとも１つのお気に入り静止画像を保持する不揮発性メモリを用いる表示方法であって、
放送波を受信し、
静止画像表示モードを設定し、
静止画像表示モードにおいて不揮発性メモリから得られる静止画像を表示し、
静止画像表示モードにおいて静止画像に対する付加情報に関する基礎データを取得し、この基礎データに対応する付加情報を表すように付加情報画像を合成し、表示された静止画像表示に付加情報画像を重ねる表示制御処理を独自の付加情報設定に従って行い、
前記静止画像を表示中にチャネル操作が行われる場合、前記静止画像の表示を前記受信する放送の表示に切り替え、
時刻情報、日付情報、天気情報、及び占い情報のうちの少なくとも１つを前記付加情報に関する基礎データとして放送波から取得し、放送波から取得できない場合にインターネットから取得し、
アナログ時計、デジタル時計、カレンダ、天気予報、および占いのうちの少なくとも１つを前記取得した基礎データに基づいて前記付加情報画像として表す、
ことを特徴とする表示方法。